(57)【要約】      （修正有）【課題】意匠的に良く、折版山上部が水平でも、普通に雨水が流れることを可能とする折版屋根を提供する。【解決手段】折版山上部は水平、折版底面部は雨水が流れるように勾配が付いている折版屋根とする。地面ラインと外観上で水平となり、意匠的にも良くなる。【選択図】図４
0003222395.tif 000002
【実用新案登録請求の範囲】
【請求項１】
折版斜壁面部と隣りあう斜壁面部、その間に設けられた水平ではなく勾配の有る、底面部。全体として外観上、水平となる折版山上部を特徴とする、折版屋根。
【考案の詳細な説明】
【技術分野】
【０００１】
本発明は外観上水平となる折版屋根に関するものである。
【背景技術】
【０００２】
一般的に折版屋根は勾配が付き設置される。勾配は２から３％が多い。大体において鉄骨の梁の上に、水勾配を付けて施工される。大体において鉄骨造建築物の屋根に、使用される事が多い。一般的に折版屋根はそれで実用上十分であった。
【０００３】
実用上十分ではあるが意匠的にも山上部が水平なものを考えた。意匠的にも優れていると思う。既存物は欠点とは言えないまでも、そういう所もある。
【先行技術文献】
【特許文献】
【０００４】
【特許文献１】実開昭５１−０４５２１７
【特許文献２】特開昭５６−１１９１０２
【特許文献３】実開昭６０−０９１７３２
【考案の概要】
【考案が解決しようとする課題】
【０００５】
必要十分である現状の折版であるが、意匠的にも少しでも優れているものを作ること。折版山上部が、水平に見えるものを提供する、ことを課題とする。
【課題を解決するための手段】
【０００６】
本考案は折版山上部が水平にして、それでいて中の谷部の底を勾配を付けること。それが最も主要な特徴とする。
【考案の効果】
【０００７】
外観上、折版山上部が水平となりよりスマートに見える利点がある。
【図面の簡単な説明】
【０００８】
【図１】外観上水平となる折版屋根の断面図である。
【図２】外観上水平となる折版屋根の正面図である。
【図３】外観上水平となる折版屋根の鳥瞰図である。
【図４】外観上水平となる折版屋根の組み合わせ接合後の鳥瞰図である。
【考案を実施するための形態】
【０００９】
折版山上部は水平とし、通常とおりの施工により屋根ができる。  
【実施例】
【００１０】
図４は本考案の実施例の鳥瞰図である。折版山上部は水平とし、通常と
おりの施工により屋根ができる。
【産業上の利用可能性】
【００１１】
折版山上部は水平とし、通常とおりの施工により屋根ができる。
【符号の説明】
【００１２】
１折版山上部
２折版斜面部
３折版低面部
【図１】
0003222395.tif 000003
【図２】
0003222395.tif 000004
【図３】
0003222395.tif 000005
【図４】
0003222395.tif 000006
【手続補正書】
【提出日】平成31年3月18日(2019.3.18)
【手続補正１】
【補正対象書類名】実用新案登録請求の範囲
【補正対象項目名】全文
【補正方法】変更
【補正の内容】
【実用新案登録請求の範囲】
【請求項１】
通常と異なる形態の折版底面部に勾配が付いている特徴を持つ、外観上水平となる折版屋根。
【手続補正書】
【提出日】令和1年5月17日(2019.5.17)
【手続補正１】
【補正対象書類名】明細書
【補正対象項目名】全文
【補正方法】変更
【補正の内容】
【考案の詳細な説明】
【技術分野】
【０００１】
本発明は外観上水平となる折版屋根に関するものである。
【背景技術】
【０００２】
一般的に折版屋根は勾配が付き設置される。勾配は２から３％が多い。大体において鉄骨の梁の上に、水勾配を付けて施工される。大体において鉄骨造建築物の屋根に、使用される事が多い。一般的に折版屋根はそれで実用上十分であった。
【０００３】
実用上十分ではあるが意匠的にも山上部が水平なものを考えた。意匠的にも優れていると思う。既存物は欠点とは言えないまでも、そういう所もある。
【先行技術文献】
【特許文献】
【０００４】
【特許文献１】実開昭５１−０４５２１７
【特許文献２】特開昭５６−１１９１０２
【特許文献３】実開昭６０−０９１７３２
【考案の概要】
【考案が解決しようとする課題】
【０００５】
必要十分である現状の折版であるが、意匠的にも少しでも優れているものを作ること。折版山上部が、水平に見えるものを提供する、ことを課題とする。
【課題を解決するための手段】
【０００６】
本考案は折版山上部が水平にして、それでいて中の谷部の底を勾配を付けること。それが最も主要な特徴とする。
【考案の効果】
【０００７】
外観上、折版山上部が水平となりよりスマートに見える利点がある。
【図面の簡単な説明】
【０００８】
【図１】外観上水平となる折版屋根の断面図である。
【図２】外観上水平となる折版屋根の正面図である。
【図３】外観上水平となる折版屋根の鳥瞰図である。
【図４】外観上水平となる折版屋根の組み合わせ接合後の鳥瞰図である。
【図５】外観上水平となる通常の折版屋根の断面図である。
【図６】外観上水平となる通常の折版屋根の正面図である。
【図７】外観上水平となる通常の折版屋根の鳥瞰図である。
【図８】外観上水平となる通常の折版屋根の組み合わせ接合後の鳥瞰図である。
【考案を実施するための形態】
【０００９】
折版山上部は水平とし、通常とおりの施工により屋根ができる。  
【実施例】
【００１０】
図４は本考案の実施例の鳥瞰図である。折版山上部は水平とし、通常と
おりの施工により屋根ができる。
【産業上の利用可能性】
【００１１】
折版山上部は水平とし、通常とおりの施工により屋根ができる。
【符号の説明】
【００１２】
１折版山上部
２折版斜面部
３折版底面部
【手続補正２】
【補正対象書類名】図面
【補正対象項目名】全図
【補正方法】変更
【補正の内容】
【図１】
0003222395.tif 000007
【図２】
0003222395.tif 000008
【図３】
0003222395.tif 000009
【図４】
0003222395.tif 000010
【図５】
0003222395.tif 000011
【図６】
0003222395.tif 000012
【図７】
0003222395.tif 000013
【図８】
0003222395.tif 000014
【手続補正書】
【提出日】令和1年5月30日(2019.5.30)
【手続補正１】
【補正対象書類名】実用新案登録請求の範囲
【補正対象項目名】全文
【補正方法】変更
【補正の内容】
【実用新案登録請求の範囲】
【請求項１】
折版山上部は水平、折版底面部は勾配が付いている特徴を持つ、外観上水平となる折版屋根。
【手続補正２】
【補正対象書類名】明細書
【補正対象項目名】全文
【補正方法】変更
【補正の内容】
【考案の詳細な説明】
【技術分野】
【０００１】
本発明は外観上水平となる折版屋根に関するものである。
【背景技術】
【０００２】
一般的に折版屋根は勾配が付き設置される。勾配は２から３％が多い。大体において鉄骨の梁の上に、水勾配を付けて施工される。大体において鉄骨造建築物の屋根に、使用される事が多い。一般的に折版屋根はそれで実用上十分であった。
【０００３】
実用上十分ではあるが意匠的にも山上部が水平なものを考えた。意匠的にも優れていると思う。既存物は欠点とは言えないまでも、そういう所もある。
【先行技術文献】
【特許文献】
【０００４】
【特許文献１】実開昭５１−０４５２１７
【特許文献２】特開昭５６−１１９１０２
【特許文献３】実開昭６０−０９１７３２
【考案の概要】
【考案が解決しようとする課題】
【０００５】
必要十分である現状の折版であるが、意匠的にも少しでも優れているものを作ること。折版山上部が、水平に見えるものを提供する、ことを課題とする。
【課題を解決するための手段】
【０００６】
本考案は折版山上部が水平にして、それでいて中の谷部の底を勾配を付けること。それが最も主要な特徴とする。
【考案の効果】
【０００７】
外観上、折版山上部が水平となりよりスマートに見える利点がある。
【図面の簡単な説明】
【０００８】
【図１】外観上水平となる折版屋根の断面図である。
【図２】外観上水平となる折版屋根の正面図である。
【図３】外観上水平となる折版屋根の鳥瞰図である。
【図４】外観上水平となる折版屋根の組み合わせ接合後の鳥瞰図である。
【考案を実施するための形態】
【０００９】
折版山上部は水平とし、通常とおりの施工により屋根ができる。  
【実施例】
【００１０】
図４は本考案の実施例の鳥瞰図である。折版山上部は水平とし、通常と
おりの施工により屋根ができる。
【産業上の利用可能性】
【００１１】
折版山上部は水平とし、通常とおりの施工により屋根ができる。
【符号の説明】
【００１２】
１折版山上部
２折版斜面部
３折版底面部
【手続補正３】
【補正対象書類名】図面
【補正対象項目名】全図
【補正方法】変更
【補正の内容】
【図１】
0003222395.tif 000015
【図２】
0003222395.tif 000016
【図３】
0003222395.tif 000017
【図４】
0003222395.tif 000018